(57)【要約】【課題】携帯電話機のユーザが携帯電話機に保存されている特定のデータを、指定したコードレス電話子機に当該コードレス電話子機で利用可能な状態で保存させること。【解決手段】子機情報送信部１２７は、子機情報を携帯電話機４０に送信する。子機転送データ受信部１２２は、携帯電話機４０からの子機転送データを受信し、記憶部１０３に記憶させる。転送先子機決定部１２３は、記憶部１０３に記憶された子機転送データから転送先子機情報を取り出し、当該転送先子機情報に設定された転送先子機識別情報に基づいて当該子機転送データの転送先のコードレス電話子機を選択する。子機転送データ送信部１２５は、転送先子機決定部１２３により選択されたコードレス電話子機に子機転送データを送信する。【選択図】図２
2015192327.tif 000002
【特許請求の範囲】
【請求項１】
少なくとも１台以上の子機とその親機から成るコードレス電話装置であり、且つ、前記親機と無線ＬＡＮを介して無線接続する無線ＩＰ端末によって選択された画像データまたは音楽データを含む子機転送データを、前記子機に転送するコードレス電話装置であって、
前記親機は、
前記無線ＩＰ端末から受信した認証ＩＤと認証パスワードに基づいて、前記親機に接続可能な無線ＩＰ端末であるか否かを判定する無線ＩＰ端末認証部と、
前記無線ＩＰ端末から、子機転送データを受信して記憶部に記憶させる子機転送データ受信部と、
前記無線ＩＰ端末からの前記認証ＩＤに基づいて、前記子機転送データの転送先子機を決定する転送先子機決定部と、
前記子機転送データのデータ種別と転送先子機の変換フォーマット情報に応じて、前記子機転送データを前記転送先子機で利用可能なデータフォーマットに変換する子機転送データ変換部と、
前記転送先子機決定部で決定した全ての転送先子機に、前記子機転送データ変換部にて変換された後の子機転送データを送信する子機転送データ送信部と、
を具備するコードレス電話装置。          
【請求項２】
前記子機転送データ変換部は、
前記子機転送データが着信音データを含む場合、前記着信音データの音声フォーマットを前記転送先子機の使用ＣＯＤＥＣで再生可能なように変換する、
請求項１に記載のコードレス電話装置。
【請求項３】
前記子機転送データ変換部は、
前記子機転送データが着信音データを含む場合、前記着信音データのデータ変換後のデータサイズが前記転送先子機の着信音用メモリサイズ内になるように変換する、
請求項１または請求項２に記載のコードレス電話装置。
【請求項４】
前記子機転送データ変換部は、
前記子機転送データが壁紙データを含む場合、前記壁紙データのサイズを前記転送先子機の壁紙サイズに変換する、
請求項１から３の何れか一つに記載のコードレス電話装置。
【請求項５】
前記子機転送データ変換部は、
前記子機転送データが電話帳データを含む場合、前記電話帳データのサムネイル画像データ部を前記転送先子機のサムネイルサイズに変換する、
請求項１から４の何れか一つに記載のコードレス電話装置。
【請求項６】
少なくとも１台以上の子機とその親機から成るコードレス電話装置と、無線ＬＡＮを介して前記コードレス電話装置の親機と無線接続する無線ＩＰ端末と、から成るコードレス電話システムであって、
前記無線ＩＰ端末は、
前記親機に無線ＬＡＮを介して、認証ＩＤと認証パスワードを送信し、前記親機に接続要求する無線ＩＰ端末認証要求部と、
第１の記憶部に記憶されたデータの中から前記子機に転送する子機転送データを選択する子機転送データ選択部と、
前記子機転送データを、前記親機に送信する子機データ送信部と、
を有し、
前記親機は、
前記無線ＩＰ端末から受信した認証ＩＤと認証パスワードに基づいて、前記親機に接続可能な無線ＩＰ端末であるか否かを判定する無線ＩＰ端末認証部と、
前記無線ＩＰ端末からの子機転送データを受信して第２の記憶部に記憶させる子機転送データ受信部と、
前記無線ＩＰ端末からの前記認証ＩＤに基づいて、前記子機転送データの転送先子機を決定する転送先子機決定部と、
前記転送先子機決定部で決定した全ての転送先子機に、前記子機転送データを送信する子機転送データ送信部と、
を有する、
コードレス電話システム。
【請求項７】
前記無線ＩＰ端末は、
前記子機転送データのデータ種別と転送先子機の変換フォーマット情報に基づいて、前記子機転送データを前記転送先子機で利用可能なデータフォーマットに変換する第１の子機転送データ変換部を更に具備し、
前記子機データ送信部は、前記第１の子機転送データ変換部にて変換された後の子機転送データを編集する、
請求項６に記載のコードレス電話システム。
【請求項８】
前記親機は、
前記子機転送データのデータ種別と転送先子機の変換フォーマット情報に基づいて、前記子機転送データを前記転送先子機で利用可能なデータフォーマットに変換する第２の子機転送データ変換部を更に具備し、
前記子機転送データ送信部は、前記第２の子機転送データ変換部にて変換された後の子機転送データを送信する、
請求項７に記載のコードレス電話システム。
【請求項９】
前記第１の子機転送データ変換部は、一部の種類の子機転送データに対して変換処理を行い、
前記第２の子機転送データ変換部は、他の種類の子機転送データに対して変換処理を行う、
請求項８に記載のコードレス電話システム。
【請求項１０】
前記第１または第２の何れか一方の子機転送データ変換部は、
前記子機転送データが着信音データを含む場合、前記着信音データの音声フォーマットを前記転送先子機の使用ＣＯＤＥＣで再生可能なように変換する、
請求項８または請求項９に記載のコードレス電話システム。
【請求項１１】
前記第１または第２の何れか一方の子機転送データ変換部は、
前記子機転送データが壁紙データを含む場合、前記壁紙データのサイズを前記転送先子機の壁紙サイズに変換する、
請求項８から１０の何れか一つに記載のコードレス電話システム。
【請求項１２】
前記第１または第２の何れか一方の子機転送データ変換部は、
前記子機転送データが電話帳データを含む場合、前記電話帳データのサムネイル画像データ部を前記転送先子機のサムネイルサイズに変換する、
請求項８から１１の何れか一つに記載のコードレス電話システム。
【請求項１３】
少なくとも１台以上の子機とその親機から成るコードレス電話装置であり、且つ、前記親機と無線ＬＡＮを介して無線接続する無線ＩＰ端末によって選択された画像データまたは音楽データを含む子機転送データを、前記子機に転送するコードレス電話装置のデータ転送方法であって、
前記親機は、
前記無線ＩＰ端末から受信した認証ＩＤと認証パスワードに基づいて、前記親機に接続可能な無線ＩＰ端末であるか否かを判定する無線ＩＰ端末認証ステップと、
前記無線ＩＰ端末から、子機転送データを受信して記憶部に記憶させる子機転送データ受信ステップと、
前記無線ＩＰ端末からの前記認証ＩＤに基づいて、前記子機転送データの転送先子機を決定する転送先子機決定ステップと、
前記子機転送データのデータ種別と転送先子機の変換フォーマット情報に応じて、前記子機転送データを前記転送先子機で利用可能なデータフォーマットに変換する子機転送データ変換ステップと、
前記転送先子機決定ステップで決定した全ての転送先子機に、前記子機転送データ変換ステップにて変換された後の子機転送データを送信する子機転送データ送信ステップと、
を実行する、
コードレス電話装置のデータ転送方法。
【請求項１４】
少なくとも１台以上の子機とその親機から成るコードレス電話装置と、無線ＬＡＮを介して前記コードレス電話装置の親機と無線接続する無線ＩＰ端末と、から成るコードレス電話システムのデータ転送方法であって、
前記無線ＩＰ端末が、前記親機に無線ＬＡＮを介して、認証ＩＤと認証パスワードを送信し、
前記親機が、前記無線ＩＰ端末から受信した認証ＩＤと認証パスワードに基づいて、前記親機に接続可能な無線ＩＰ端末であるか否かを判定し、
前記無線ＩＰ端末が、第１の記憶部に記憶されたデータの中から前記子機に転送する子機転送データを選択し、
前記無線ＩＰ端末が、前記子機転送データを前記親機に送信し、
前記親機が、前記無線ＩＰ端末からの子機転送データを受信して第２の記憶部に記憶させ、
前記親機が、前記無線ＩＰ端末からの前記認証ＩＤに基づいて、前記子機転送データの転送先子機を決定し、
前記親機が、前記決定した転送先子機に、前記子機転送データを送信する、
コードレス電話システムのデータ転送方法。
【請求項１５】
前記無線ＩＰ端末は、前記親機に、前記子機転送データを送信する前に、
前記子機転送データのデータ種別と、前記第１の記憶部に記憶された転送先子機の変換フォーマット情報に基づいて、前記子機転送データを前記転送先子機で利用可能なデータフォーマットに変換した子機転送データを編集する、
請求項１４に記載のコードレス電話システムのデータ転送方法。
【請求項１６】
前記親機は、前記転送先子機に、前記子機転送データを送信する前に、
前記子機転送データのデータ種別と、前記第２の記憶部に記憶された前記転送先子機の変換フォーマット情報に基づいて、前記子機転送データを前記転送先子機で利用可能なデータフォーマットに変換した子機転送データを編集する、
請求項１４または請求項１５に記載のコードレス電話システムのデータ転送方法。
【発明の詳細な説明】
【技術分野】
【０００１】
本発明は、無線ＬＡＮ通信部を備えた携帯電話機と無線接続するコードレス電話装置、このコードレス電話装置を含むコードレス電話システム、及び、このコードレス電話装置、コードレス電話システムにおけるデータ転送方法に関する。
【背景技術】
【０００２】
昨今、携帯電話網に接続する携帯電話機（いわゆる、スマートホンを含む）に無線ＬＡＮ通信部（ＩＥＥＥ．８０２．１１規格のＷｉ−Ｆｉ（登録商標）機能）を設け、この携帯電話機を用いて、家庭やオフィス（以下、「宅内」という）の無線ＬＡＮ環境下でインターネットに接続し、ＷｅｂブラウジングやＩＰ電話等の様々なインターネットサービスが利用可能となっている。
【０００３】
また、携帯電話機では、ユーザが、自身の嗜好に合わせて、好きな音楽を着信音として利用したり、携帯電話機のカメラで撮影した写真データを携帯電話機の壁紙にしたりするなど、着信音や壁紙データを自由にカスタマイズすることが一般的になっている。
【０００４】
しかしながら、家庭で利用しているコードレス電話機では、ユーザは、購入時点で予め用意された数種類の着信音や壁紙データの中から選択して利用するしかできなかった。
【０００５】
このユーザの不満を解消すべく、携帯電話機と、家庭で使用されるコードレス電話子機（コードレスハンドセット）等の他の電話機とを無線接続し、携帯電話機に保持されている各種データ（電話帳データ、壁紙データ、着信音データ等）を他の電話機に転送する技術が、例えば、特許文献１、２に開示されている。なお、着信音データは、保留音、留守番電話のガイダンスメッセージ等、コードレス電話子機で使用する音源データであれば良い。
【０００６】
特許文献１には、電話機に外部保存装置（携帯電話機等）とカップリングして外部保存装置から音声ファイルを読み込み、着信音を自由に変更できる電話機が記載されている。
【０００７】
また、特許文献２には、携帯電話機と内線電話機（または一般加入電話機）とを接続して相互間で電話帳データを転送することができる電話帳データ転送ステムが記載されている。
【先行技術文献】
【特許文献】
【０００８】
【特許文献１】実用新案登録第３１１６７５０号公報
【特許文献２】特開２００３−１０１６３２号公報
【発明の概要】
【発明が解決しようとする課題】
【０００９】
しかしながら、特許文献１に記載のコードレス電話システムでは、電話機に外部保存装置とカップリングするＨＤＣ（ホストデバイスコントローラ）を設けることが必要となる。そして、複数台のコードレス電話子機を親機と接続するコードレス電話装置においては、各コードレス電話子機に新たにＨＤＣを設けることが必要となり、コストアップとなる。
【００１０】
また、特許文献１の外部保存装置をパーソナルコンピュータや携帯電話機とした場合、それらの機器で録音し保存した音声データは、ＭＰ３（MPEG Audio Layer-3）やＷＡＶフォーマット等の音声フォーマットであり、コードレス電話子機のＣＯＤＥＣは、当該音声データをそのまま再生することができない。コードレス電話子機では、一般的には、Ｇ．７２２規格、Ｇ．７１１規格等のＰＣＭデータ形式のデジタル音声データをアナログ音声に変換するＣＯＤＥＣが使用されているため、コードレス電話子機にＭＰ３や、ＷＡＶフォーマットの音声データを送った場合、コードレス電話子機にて、当該音声データのフォーマットを使用ＣＯＤＥＣで再生できるように変換する必要がある。この変換処理の実行は、各コードレス電話子機の処理能力低下や、コストアップを招く要因となる。
【００１１】
また、特許文献２に記載の電話機システムでも、コードレス電話子機と携帯電話機を直接通信する為のインタフェース手段を具備する必要がある。また、携帯電話機の電話帳データ等には電話番号や名前情報等のテキストデータ以外に、昨今の携帯電話機の高精度な液晶ディスプレイの能力に合わせて作成された顔写真等の大容量の画像データが含まれており、携帯電話機と異なる液晶デバイスを具備したコードレス電話子機では、そのままの画像データを表示することができない。高画質の携帯電話機では、ＳＶＧＡ（８００×６００ピクセル）、ＸＧＡ（１０２４×７６８ピクセル）の画像データ（ＪＰＥＧ等）が使用されている。一方、一般的なコードレス電話子機では、ＱＶＧＡ（３２０×２４０ピクセル）、ＶＧＡ（６４０×４８０ピクセル）が使用されている。このため、コードレス電話子機に携帯電話機に保存されている画像データを送った場合、コードレス電話子機にて、液晶表示部に表示可能なサイズに画像データをリサイズする必要がある。この変換処理の実行は、各コードレス電話子機の処理能力低下や、コストアップを招く要因となる。
【００１２】
また、特許文献１、２は、何れも、携帯電話機から、コードレス電話親機を経由して転送先子機を指定して送信するものではなく、指定した子機のみに特定のデータを送信したいというユーザの要望に応えることができない。
【００１３】
本発明の目的は、コードレス電話子機に新たな機器を設けること無く、携帯電話機のユーザが携帯電話機に保存されている特定のデータを、指定したコードレス電話子機に当該コードレス電話子機で利用可能な状態で保存させることができるコードレス電話装置、コードレス電話システム及びデータ転送方法を提供することである。
【課題を解決するための手段】
【００１４】
本発明の一態様に係るコードレス電話装置は、少なくとも１台以上の子機とその親機から成るコードレス電話装置であり、且つ、前記親機と無線ＬＡＮを介して無線接続する無線ＩＰ端末によって選択された画像データまたは音楽データを含む子機転送データを、前記子機に転送するコードレス電話装置であって、前記親機は、前記無線ＩＰ端末から受信した認証ＩＤと認証パスワードに基づいて、前記親機に接続可能な無線ＩＰ端末であるか否かを判定する無線ＩＰ端末認証部と、前記無線ＩＰ端末から、子機転送データを受信して記憶部に記憶させる子機転送データ受信部と、前記無線ＩＰ端末からの前記認証ＩＤに基づいて、前記子機転送データの転送先子機を決定する転送先子機決定部と、前記子機転送データのデータ種別と転送先子機の変換フォーマット情報に応じて、前記子機転送データを前記転送先子機で利用可能なデータフォーマットに変換する子機転送データ変換部と、前記転送先子機決定部で決定した全ての転送先子機に、前記子機転送データ変換部にて変換された後の子機転送データを送信する子機転送データ送信部と、を具備する構成を採る。
【００１５】
本発明の一態様に係るコードレス電話システムは、少なくとも１台以上の子機とその親機から成るコードレス電話装置と、無線ＬＡＮを介して前記コードレス電話装置の親機と無線接続する無線ＩＰ端末と、から成るコードレス電話システムであって、前記無線ＩＰ端末は、前記親機に無線ＬＡＮを介して、認証ＩＤと認証パスワードを送信し、前記親機に接続要求する無線ＩＰ端末認証要求部と、第１の記憶部に記憶されたデータの中から前記子機に転送する子機転送データを選択する子機転送データ選択部と、前記子機転送データを、前記親機に送信する子機データ送信部と、を有し、前記親機は、前記無線ＩＰ端末から受信した認証ＩＤと認証パスワードに基づいて、前記親機に接続可能な無線ＩＰ端末であるか否かを判定する無線ＩＰ端末認証部と、前記無線ＩＰ端末からの子機転送データを受信して第２の記憶部に記憶させる子機転送データ受信部と、前記無線ＩＰ端末からの前記認証ＩＤに基づいて、前記子機転送データの転送先子機を決定する転送先子機決定部と、前記転送先子機決定部で決定した全ての転送先子機に、前記子機転送データを送信する子機転送データ送信部と、を有する、構成を採る。
【００１６】
本発明の一態様に係るコードレス電話装置のデータ転送方法は、少なくとも１台以上の子機とその親機から成るコードレス電話装置であり、且つ、前記親機と無線ＬＡＮを介して無線接続する無線ＩＰ端末によって選択された画像データまたは音楽データを含む子機転送データを、前記子機に転送するコードレス電話装置のデータ転送方法であって、前記親機は、前記無線ＩＰ端末から受信した認証ＩＤと認証パスワードに基づいて、前記親機に接続可能な無線ＩＰ端末であるか否かを判定する無線ＩＰ端末認証ステップと、前記無線ＩＰ端末から、子機転送データを受信して記憶部に記憶させる子機転送データ受信ステップと、前記無線ＩＰ端末からの前記認証ＩＤに基づいて、前記子機転送データの転送先子機を決定する転送先子機決定ステップと、前記子機転送データのデータ種別と転送先子機の変換フォーマット情報に応じて、前記子機転送データを前記転送先子機で利用可能なデータフォーマットに変換する子機転送データ変換ステップと、前記転送先子機決定ステップで決定した全ての転送先子機に、前記子機転送データ変換ステップにて変換された後の子機転送データを送信する子機転送データ送信ステップと、を実行する。
【００１７】
本発明の一態様に係るコードレス電話システムのデータ転送方法は、少なくとも１台以上の子機とその親機から成るコードレス電話装置と、無線ＬＡＮを介して前記コードレス電話装置の親機と無線接続する無線ＩＰ端末と、から成るコードレス電話システムのデータ転送方法であって、前記無線ＩＰ端末が、前記親機に無線ＬＡＮを介して、認証ＩＤと認証パスワードを送信し、前記親機が、前記無線ＩＰ端末から受信した認証ＩＤと認証パスワードに基づいて、前記親機に接続可能な無線ＩＰ端末であるか否かを判定し、前記無線ＩＰ端末が、第１の記憶部に記憶されたデータの中から前記子機に転送する子機転送データを選択し、前記無線ＩＰ端末が、前記子機転送データを前記親機に送信し、前記親機が、前記無線ＩＰ端末からの子機転送データを受信して第２の記憶部に記憶させ、前記親機が、前記無線ＩＰ端末からの前記認証ＩＤに基づいて、前記子機転送データの転送先子機を決定し、前記親機が、前記決定した転送先子機に、前記子機転送データを送信する。
【発明の効果】
【００１８】
本発明によれば、コードレス電話親機が有する子機情報を携帯電話機に転送するので、コードレス電話子機に新たな機器を設けること無く、携帯電話機のユーザが、子機情報に基づいて、携帯電話機に保存されている特定のデータを、指定したコードレス電話子機に当該コードレス電話子機で利用可能な状態で保存させることができる。
【図面の簡単な説明】
【００１９】
【図１】本発明の実施の形態１に係るコードレス電話システムの構成を示す模式図
【図２】図１に示したコードレス電話親機の構成を示すブロック図
【図３ａ】本発明の実施の形態１に係る子機情報テーブルの一例を示す図
【図３ｂ】本発明の実施の形態１に係る子機情報テーブルの一例を示す図
【図４】図１に示したコードレス電話子機の構成を示すブロック図
【図５】図１に示した携帯電話機（無線ＩＰ端末）の構成を示すブロック図
【図６】図５に示した携帯電話機の、接続認証時における処理手順を示すフロー図
【図７】図２に示したコードレス電話親機の、接続認証時における処理手順を示すフロー図
【図８】図５に示した携帯電話機の、接続認証後の処理手順を示すフロー図
【図９】図２に示したコードレス電話親機の、接続認証後の処理手順を示すフロー図
【図１０】図５に示した携帯電話機の処理手順を示すフロー図
【図１１】図２に示したコードレス電話親機の処理手順を示すフロー図
【図１２】図４に示したコードレス電話子機の処理手順を示すフロー図
【図１３】本発明の実施の形態２に係る認証情報テーブルの一例を示す図
【図１４】本発明の実施の形態２に係る転送規制情報テーブルの一例を示す図
【図１５】本発明の実施の形態２に係る子機情報テーブルの一例を示す図
【図１６】本発明の実施の形態２に係るコードレス電話親機の子機情報の送信手順を示すフロー図
【図１７】本発明の実施の形態４に係る対応認証ＩＤ情報テーブルの一例を示す図
【図１８】本発明の実施の形態４に係る子機情報テーブルの一例を示す図
【発明を実施するための形態】
【００２０】
以下、本発明の実施の形態について、図面を参照して詳細に説明する。
【００２１】
（実施の形態１）
図１は、本発明の実施の形態１に係るコードレス電話システムの構成を示す模式図である。以下、図１を用いて、コードレス電話システムの構成について説明する。なお、以下の説明において、無線ＩＰ端末の一例としてスマートホンを含む携帯電話機を挙げるが、本発明はこれに限定するものではない。
【００２２】
図１では、宅内にコードレス電話親機１０が設けられ、コードレス電話親機１０は、アクセスポイント２０を介して、インターネットに接続しており、一方で、固定電話網に接続している。また、宅内には、コードレス電話親機１０と接続するコードレス電話子機（ＣＤＬ子機）３０−１、３０−２と、無線ＬＡＮルータ機能を備えたアクセスポイント２０及び携帯電話網に接続する携帯電話機４０が存在するものとする。なお、特定のコードレス電話子機を区別しない場合には、コードレス電話子機３０と総称する。
【００２３】
図１において、コードレス電話子機３０は、コードレス電話親機１０を介して、固定電話網に接続可能であり、コードレス電話親機１０及びアクセスポイント２０を介して、携帯電話機４０に接続可能である。携帯電話機４０は、アクセスポイント２０を介して、コードレス電話親機１０と無線ＬＡＮにて接続する。また、携帯電話機４０が、アクセスポイント２０及びコードレス電話親機１０を介して、コードレス電話子機３０、固定電話網に接続可能である。
【００２４】
図１では、子機と親機との間の無線通信方式にＤＥＣＴ（Digital Enhanced Cordless Telecommunications）方式を採用したコードレス電話子機３０であって、コードレス電話子機３０は、コードレス電話親機１０を介して、固定電話網及び携帯電話機に接続可能である。また、携帯電話機４０は、コードレス電話親機１０を介して、コードレス電話子機３０及び固定電話網に接続可能で、更に、アクセスポイント２０を介してインターネットにも接続可能である。
【００２５】
なお、図１では、携帯電話機４０が、アクセスポイント２０を介して、コードレス電話親機１０と接続する場合を示しているが、コードレス電話親機１０に無線ＬＡＮリピータ機能を設け、携帯電話機４０が、コードレス電話親機１０とダイレクトに接続し、コードレス電話親機１０からアクセスポイント２０を介してインターネットに接続することもできる。
【００２６】
図２は、図１に示したコードレス電話親機１０の構成を示すブロック図である。以下、図２を用いて、コードレス電話親機１０の構成について説明する。
【００２７】
ＮＣＵ（Network Control Unit）及びモデム部１０１は、発呼時の公衆回線との接続および公衆回線からの着呼検出などの電話回線の制御を行う回線制御回路（ＮＣＵ）と、着信時に公衆回線からの発信者番号情報を受信するモデム部である。
【００２８】
ＴＡＭ（Telephone Answering Machine）部１０２は、留守番電話メッセージを記憶し、メッセージの録音及び再生を行う。
【００２９】
記憶部１０３は、コードレス電話装置の各種設定データ、電話帳データ、発着信履歴情報、ＳＭＳメッセージ等の子機の通信履歴を含む子機付加情報を記憶する。なお、コードレス電話装置では、コードレス電話子機３０毎に電話帳データを設ける場合と、全てのコードレス電話子機３０において共通に使用される電話帳データを設ける場合とがある。コードレス電話親機１０は、コードレス電話子機３０毎に設けられた電話帳データ、および、全てのコードレス電話子機３０において共通に使用される電話帳データの少なくとも一方を記憶、管理している。
【００３０】
また、記憶部１０３は、図３ａに示すような子機情報を記憶する。子機情報は、各コードレス電話子機３０（子機１から子機６）と、各コードレス電話子機３０の接続状態、子機名、子機番号（子機内線番号またはポート番号）、子機の壁紙データ情報（画像フォーマット、色数、画像サイズ等）、サムネイルデータ情報（画像フォーマット、色数、画像サイズ等）、着信音メモリ情報（メモリ容量、または再生時間）および使用ＣＯＤＥＣが対応付けられている。子機名および子機番号は、子機を識別するための子機識別情報として用いられる。壁紙データ情報、サムネイルデータ情報、着信音メモリ情報および使用ＣＯＤＥＣ情報は、子機で使用するデータに変換する際の変換フォーマット情報として用いられる。なお、コードレス電話親機１０は、各コードレス電話子機３０との接続時に、子機側から受信する機種情報を元に各子機が具備するデバイス能力に応じて上記の変換フォーマット情報を取得するようにしても良いし、親機に単一機種の子機しか接続しないのであれば、図３ｂに示す様に、システム固定の子機で共通に使用する変換フォーマット情報として一意的に決定して使用しても良い。
【００３１】
音声入出力部１０４は、マイク、スピーカーとＣＯＤＥＣから構成され、着信音の出力、通話音声の入力出力を行う。
【００３２】
操作部１０５は、ユーザが操作を行うダイヤル、各種機能ボタンから構成され、ＬＣＤ（Liquid Crystal Display）部１０６は、各種情報を表示する。
【００３３】
コードレス電話子機無線Ｉ／Ｆ部１０７は、コードレス電話子機３０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００３４】
コードレス電話子機制御部１０８は、コードレス電話子機３０との間で制御データを送受信し、コードレス電話子機３０との間の制御プロトコル（例えば、ＤＥＣＴプロトコル方式、ＰＨＳプロトコル方式等）に従った発呼、着呼等のプロトコル制御を行う。なお、以下の説明では、コードレス電話子機３０との間の制御プロトコルにＤＥＣＴ方式を採用するものとする。
【００３５】
無線ＬＡＮ  Ｉ／Ｆ部１０９は、ＩＥＥＥ８０２．１１（Ｗｉ−Ｆｉ（登録商標））、の無線ＬＡＮプロトコル制御を行い、携帯電話機４０との無線データの送受信を行う。なお、無線ＬＡＮ  Ｉ／Ｆ部１０９は、Ｂｌｕｅｔｏｏｔｈ（登録商標）やＺｉｇＢｅｅ（登録商標）等の近距離無線通信技術を用いても良い。
【００３６】
親機制御部１１０は、コードレス電話親機１０全体を制御する。具体的には、親機制御部１１０は、親機制御部１１０周辺の各部から発生したイベント、メッセージを受信及び解析し、発着信呼の状態及び呼接続を制御し、各部に指示する。親機制御部１１０は、呼制御部１２１、子機転送データ受信部１２２、転送先子機決定部１２３、子機転送データ変換部１２４、子機転送データ送信部１２５、無線ＩＰ端末認証部１２６および子機情報送信部１２７を有する。
【００３７】
呼制御部１２１は、ＮＣＵ及びモデム部１０１及びコードレス電話子機制御部１０８から受信したイベント、及び、各種メッセージを処理する。
【００３８】
子機転送データ受信部１２２は、無線ＬＡＮ Ｉ／Ｆ部１０９を介して、携帯電話機４０からの子機転送データを受信し、記憶部１０３に記憶させる。
【００３９】
転送先子機決定部１２３は、記憶部１０３に記憶された子機転送データから転送先子機情報を取り出し、当該転送先子機情報に設定された子機識別情報（子機名、子機内線番号または子機ポート番号）に基づいて当該子機転送データの転送先のコードレス電話子機３０を決定する。
【００４０】
子機転送データ変換部１２４は、記憶部１０３に記憶された子機転送データの種別と、転送先子機の変換フォーマット情報に基づいて所定の変換処理を実行する。具体的には、子機転送データが着信音データである場合、子機転送データ変換部１２４は、着信音データの音声フォーマットを子機情報のコードレス電話子機３０の使用ＣＯＤＥＣに合わせて変換し、着信音データのサイズを子機情報のコードレス電話子機３０の着信音のサイズ（あるいは最大再生時間）内になるように変換する。また、子機転送データが壁紙データである場合、子機転送データ変換部１２４は、壁紙データの画像サイズを子機情報のコードレス電話子機３０の壁紙サイズに合わせて変換する。また、子機転送データが電話帳データである場合、子機転送データ変換部１２４は、電話帳データに含まれるサムネイルデータの画像サイズを子機情報のコードレス電話子機３０のサムネイルサイズに合わせて変換する。なお、子機情報の壁紙データ情報、サムネイルデータ情報、着信音メモリ情報および使用ＣＯＤＥＣ情報を総称して変換フォーマット情報と呼ぶ。
【００４１】
なお、本実施の形態では、壁紙データおよびサムネイルデータのサイズ変換についてのみ記載しているが、画像データの変換には、サイズ変換のみならず、画像フォーマットの変換も含まれる。以下の説明では、画像データの変換の一例として画像のサイズ変換を用いるが、本発明は、サイズ変換以外の画像データ変換、例えば、ＪＰＥＧフォーマットからＢＭＰフォーマットへの変換を行っても良い。
【００４２】
子機転送データ送信部１２５は、コードレス電話子機無線Ｉ／Ｆ部１０７を介して、転送先子機決定部１２３により選択されたコードレス電話子機３０に、子機転送データ変換部１２４によって変換処理が実行された子機転送データを送信する。また、子機転送データ送信部１２５は、変換処理を実行できなかった旨を示すメッセージ、あるいは、変換処理を実行した旨を示すメッセージを携帯電話機４０に通知する。
【００４３】
無線ＩＰ端末認証部１２６は、帯電話機４０の接続認証を行う。具体的には、無線ＩＰ端末認証部１２６は、携帯電話機４０から認証要求（認証ＩＤ、認証パスワード）を受信し、認証要求に含まれる認証ＩＤ、認証パスワードの組みあわせが、記憶部１０３の認証ＩＤ、認証パスワードの組みあわせのいずれかと一致するか否かを判別する。そして、無線ＩＰ端末認証部１２６は、一致する場合には認証を認め、認証応答（ＯＫ）を携帯電話機４０に送信し、一致しない場合には認証を認めず、認証応答（ＮＧ）を携帯電話機４０に送信する。
【００４４】
子機情報送信部１２７は、記憶部１０３に記憶された子機情報（図３ａ、または、図３ａの子機識別情報と図３ｂの変換フォーマット情報）を、無線ＬＡＮ Ｉ／Ｆ部１０９を介して、携帯電話機４０に送信する。
【００４５】
なお、携帯電話機４０に送信する子機情報の変換フォーマット情報は、図３ａに示す子機毎の情報であっても良いし、同一機種の子機しか接続しない場合には、図３ｂに示す子機共通の情報であっても良い。
【００４６】
図４は、図１に示したコードレス電話子機３０の構成を示すブロック図である。以下、図４を用いて、コードレス電話子機３０の構成について説明する。
【００４７】
記憶部１３１は、着信音データ、壁紙データ、電話帳データ等のコードレス電話子機３０で使用する各種データを所定の記憶エリアに記憶する。
【００４８】
音声入出力部１３２は、マイク、スピーカーとＣＯＤＥＣから構成され、着信音の出力、通話音声の入力出力を行う。
【００４９】
操作部１３３は、ユーザが操作を行うダイヤル、各種機能ボタンから構成され、ＬＣＤ（Liquid Crystal Display）部１３４は、各種情報を表示する。
【００５０】
コードレス電話親機無線Ｉ／Ｆ部１３５は、コードレス電話親機１０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００５１】
コードレス電話親機制御部１３６は、コードレス電話親機１０との間で制御データを送受信し、コードレス電話親機１０との間の制御プロトコル（例えば、ＤＥＣＴプロトコル方式、ＰＨＳプロトコル方式等）に従った発呼、着呼等のプロトコル制御を行う。
【００５２】
子機制御部１３７は、コードレス電話子機３０全体を制御する。具体的には、子機制御部１３７は、子機制御部１３７周辺の各部から発生したイベント、メッセージを受信及び解析し、発着信呼の状態及び呼接続を制御し、各部に指示する。子機制御部１３７は、呼制御部１３８および子機転送データ受信部１３９を有する。
【００５３】
呼制御部１３８は、コードレス電話親機制御部１３６から受信したイベント、及び、各種メッセージを処理する。
【００５４】
子機転送データ受信部１３９は、コードレス電話親機無線Ｉ／Ｆ部１３５を介して、コードレス電話親機１０からの子機転送データを受信し、子機転送データの種別に応じた記憶部１３１の記憶エリアに、子機転送データを記憶させる。
【００５５】
図５は、図１に示した携帯電話機４０の構成を示すブロック図である。以下、図５を用いて、携帯電話機４０の構成について説明する。
【００５６】
セルラー無線Ｉ／Ｆ部１４１は、携帯電話用アンテナを介して携帯電話基地局との無線データ送受信を行う。
【００５７】
記憶部１４２は、携帯電話機４０の各種設定データ、電話帳データ、発着信履歴情報、ＳＭＳメッセージ、各種画像データ（壁紙データを含む）、音楽データ（着信音データを含む）等の情報を記憶する。
【００５８】
音声入出力部１４３は、マイク、スピーカーから構成され、着信音の出力、通話音声の入力出力を行う。
【００５９】
操作部１４４は、ユーザが操作を行うダイヤル、各種機能ボタンから構成され、ＬＣＤ部１４５は、各種情報を表示する。また、スマートホン等のタッチパネルにて、操作部１４４とＬＣＤ部１４５を構成しても良い。
【００６０】
無線ＬＡＮ Ｉ／Ｆ部１４６は、ＩＥＥＥ８０２．１１の無線ＬＡＮプロトコル制御を行い、コードレス電話親機１０との無線データの送受信を行う。なお、無線ＬＡＮ  Ｉ／Ｆ部１４６は、コードレス電話親機１０側に合わせてＢｌｕｅｔｏｏｔｈ（登録商標）やＺｉｇＢｅｅ（登録商標）等の近距離無線通信技術を用いても良い。
【００６１】
外部メモリＩ／Ｆ部１４７は、ＳＤカード等の外部メモリを装着可能な形状を有し、装着された外部メモリとの間でデータの読み出し／書き込みを行う。
【００６２】
端末制御部１４８は、携帯電話機４０全体を制御する。具体的には、端末制御部１４８は、端末制御部１４８周辺の各部から発生したイベント、メッセージを受信及び解析し、発着信呼の状態及び呼接続を制御し、各部に指示する。端末制御部１４８は、セルラー電話制御部１５１、Ｗｅｂブラウザ制御部１５２、子機転送データ選択部１５３、転送先子機選択部１５４および子機転送データ送信部１５６を有する。
【００６３】
セルラー電話制御部１５１は、セルラー無線Ｉ／Ｆ部１４１から受信した呼制御メッセージを処理する。
【００６４】
Ｗｅｂブラウザ制御部１５２は、セルラー無線Ｉ／Ｆ部１４１、若しくは、無線ＬＡＮ Ｉ／Ｆ部１４６を介して、インターネットからＨＴＭＬファイル、画像ファイル、音楽ファイル等をダウンロードし、Ｗｅｂ画面レイアウトを解析して表示・再生する制御を行う。
【００６５】
子機転送データ選択部１５３は、ユーザの操作部１４４（ＬＣＤ部１４５含む）からの操作に基づいて、記憶部１４２に記憶されたデータ群の中からコードレス電話子機３０に転送するデータ（子機転送データ）を選択し、子機転送データ送信部１５６に出力する。
【００６６】
転送先子機選択部１５４は、ユーザの操作部１４４（ＬＣＤ部１４５含む）からの操作に基づいて、データの転送先のコードレス電話子機３０を選択し、子機転送データ送信部１５６に出力する。なお、転送先子機選択部１５４は、１台、若しくは複数台のコードレス電話子機３０を選択することができる。
【００６７】
子機転送データ変換部１５５は、子機転送データ選択部１５３から出力された子機転送データに対して、子機転送データの種別と変換フォーマット情報に基づいて所定の変換処理を実行する。具体的には、子機転送データが着信音データである場合、子機転送データ変換部１５５は、着信音データの音声フォーマットをコードレス電話子機３０の使用ＣＯＤＥＣに合わせて変換し、着信音データのサイズを子機情報のコードレス電話子機３０の着信音のサイズ（あるいは最大再生時間）内になるように変換する。また、子機転送データが壁紙データである場合、子機転送データ変換部１５５は、壁紙データの画像サイズをコードレス電話子機３０の壁紙サイズに変換する。また、子機転送データが電話帳データである場合、子機転送データ変換部１５５は、子機転送データのサムネイルデータの画像サイズをコードレス電話子機３０のサムネイルサイズに変換する。
【００６８】
子機転送データ送信部１５６は、子機転送データ変換部１５５によって変換処理が実行された子機転送データを編集する。具体的には、子機転送データ送信部１５６は、子機転送データのヘッダ部を生成し、ヘッダ部の子機転送データメッセージの転送先子機情報に、転送先子機選択部１５４で選択されたコードレス電話子機３０を示す転送先子機識別情報（子機名、子機内線番号または子機ポート番号）を設定する。そして、子機転送データ送信部１５６は、編集後の子機転送データを無線ＬＡＮ Ｉ／Ｆ部１４６を介してコードレス電話親機１０に送信する。
【００６９】
認証要求部１５７は、無線ＬＡＮ Ｉ／Ｆ部１４６を介して、コードレス電話親機１０に接続の認証要求を送信する。
【００７０】
子機情報受信部１５８は、無線ＬＡＮ Ｉ／Ｆ部１４６を介して、コードレス電話親機１０から子機情報（図３ａ、または、図３ａの子機識別情報と図３ｂの変換フォーマット情報）を受信し、記憶部１４２に記憶させる。
【００７１】
次に、コードレス電話親機１０に保持されている子機情報を、携帯電話機４０に保持させるまでの処理手順について、図６、図７、図８及び図９を用いて説明する。
【００７２】
図６は、携帯電話機４０の、接続認証時における処理手順を示すフロー図である。まず、ＳＴ２０１において、認証要求部１５７が、ユーザの操作部１４４（ＬＣＤ部１４５含む）からの操作に基づいて、コードレス電話親機１０に認証要求を送信する。
【００７３】
次に、ＳＴ２０２において、認証要求部１５７が、コードレス電話親機１０から認証応答を受信する。
【００７４】
そして、認証応答がＯＫの場合（ＳＴ２０３：ＯＫ）、ＳＴ２０４、ＳＴ２０５において、子機情報受信部１５８が、コードレス電話親機１０から子機情報を受信し、記憶部１４２に記憶させる。一方、認証応答がＮＧの場合（ＳＴ２０３：ＮＧ）、フローは終了する。
【００７５】
図７は、コードレス電話親機１０の、接続認証時における処理手順を示すフロー図である。まず、ＳＴ３０１において、無線ＩＰ端末認証部１２６が、携帯電話機４０から認証要求を受信する。
【００７６】
次に、ＳＴ３０２において、無線ＩＰ端末認証部１２６が、認証要求に含まれる認証ＩＤ、認証パスワードの確認を行う。
【００７７】
認証確認が取れれば（ＳＴ３０２：ＯＫ）、ＳＴ３０３において、無線ＩＰ端末認証部１２６が、携帯電話機４０に認証応答（ＯＫ）を送信する。一方、認証確認が取れなければ（ＳＴ３０２：ＮＧ）、ＳＴ３０４において、無線ＩＰ端末認証部１２６が、携帯電話機４０に認証応答（ＮＧ）を送信する。
【００７８】
ＳＴ３０３の後、ＳＴ３０５、ＳＴ３０６において、子機情報送信部１２７が、携帯電話機４０に子機情報を送信し、子機情報通知タイマーを設定する。
【００７９】
図８は、携帯電話機４０の、接続認証後の処理手順を示すフロー図である。接続認証後では、ＳＴ４０１、ＳＴ４０２において、子機情報受信部１５８が、コードレス電話親機１０から子機情報を受信し、記憶部１４２に記憶させる。
【００８０】
図９は、コードレス電話親機１０の、接続認証後の処理手順を示すフロー図である。接続認証後では、ＳＴ５０１、ＳＴ５０２において、子機情報通知タイマーが満了する毎に、子機情報送信部１２７が、コードレス電話親機１０と接続中の携帯電話機４０が有るか否かを判定する。
【００８１】
接続中の携帯電話機４０が有れば（ＳＴ５０２：有り）、ＳＴ５０３、ＳＴ５０４において、子機情報送信部１２７が、携帯電話機４０に子機情報を送信し、子機情報通知タイマーを設定する。一方、接続中の携帯電話機４０が無ければ（ＳＴ５０２：無し）、ＳＴ５０４において、子機情報送信部１２７が、子機情報通知タイマーを設定する。
【００８２】
次に、携帯電話機４０に保持されている各種データ（電話帳データ、壁紙データ、着信音データ）を、コードレス電話子機３０に、コードレス電話子機３０で利用可能な状態で保存させるまでの処理手順について、図１０から図１２を用いて説明する。
【００８３】
図１０は、携帯電話機４０のデータ転送時の処理手順を示すフロー図である。まず、ＳＴ６０１において、転送先子機選択部１５４は、ユーザの操作部１４４（ＬＣＤ部１４５含む）からの操作に基づいて、１台または複数台のデータ転送先のコードレス電話子機３０（転送先子機）を選択する。そして、ＳＴ６０２において、転送先子機選択部１５４は、最初の転送先子機の子機情報を取得する。なお、転送先子機選択部１５４は、先にコードレス電話親機１０から受信した子機情報を基に、選択する子機識別情報（子機名または子機番号）をＬＣＤ部１４５に表示し、ユーザの指示に基づいて、複数台の子機の中から１台または複数台のコードレス電話子機３０を選択することができる。
【００８４】
次に、ＳＴ６０３において、子機転送データ選択部１５３は、ユーザの操作部１４４（ＬＣＤ部１４５含む）からの操作に基づいて、記憶部１４２に記憶された各種データ群（電話帳データ、壁紙データ、着信音データ等）の中からコードレス電話子機３０に転送するデータ（子機転送データ）を選択し、ＳＴ６０１で選択した子機へのデータ送信を起動する。
【００８５】
次に、ＳＴ６０４において、子機転送データ変換部１５５は、記憶部１４２に記憶された子機転送データの種別を判定する。
【００８６】
そして、子機転送データが着信音データであった場合（ＳＴ６０４：「着信音データ」）、ＳＴ６０５において、子機転送データ変換部１５５は、子機転送データが、コードレス電話子機３０においてフォーマット変換が可能な着信音データであるか否かを判定する。
【００８７】
フォーマット変換が可能である場合（ＳＴ６０５：ＹＥＳ）、ＳＴ６０６において、子機転送データ変換部１５５は、子機転送データ（着信音データ）の音声フォーマットを、コードレス電話子機３０の子機情報にある使用ＣＯＤＥＣに合わせて変換する。また、ＳＴ６０７において、子機転送データ変換部１５５は、着信音データのサイズを子機情報のコードレス電話子機３０の着信音のサイズに合わせて変換する。その後、フローは、ＳＴ６１３に進む。一方、フォーマット変換が不可能である場合（ＳＴ６０５：ＮＯ）、フローは、ＳＴ６１４に進む。
【００８８】
また、子機転送データが壁紙データであった場合（ＳＴ６０４：「壁紙データ」）、ＳＴ６０８において、子機転送データ変換部１５５は、壁紙データを表示し、必要に応じてトリミング等の加工処理を行う。次に、ＳＴ６０９において、子機転送データ変換部１５５は、子機転送データのヘッダ部から画像サイズ情報を取得する。そして、ＳＴ６１０において、子機転送データ変換部１５５は、子機転送データ（壁紙データ）の画像サイズを子機情報から取得し、コードレス電話子機３０において再生できるものに変換する。その後、フローは、ＳＴ６１３に進む。
【００８９】
また、子機転送データが電話帳データであった場合（ＳＴ６０４：「電話帳データ」）、ＳＴ６１１において、子機転送データ変換部１５５は、子機転送データのヘッダ部からサムネイルデータ（相手画像データ）の画像サイズ情報を取得する。そして、ＳＴ６１２において、子機転送データ変換部１５５は、子機転送データのサムネイルデータの画像サイズを子機情報から取得し、コードレス電話子機３０において再生できるものに変換する。その後、フローは、ＳＴ６１３に進む。
【００９０】
ＳＴ６１３において、子機転送データ送信部１５６は、転送先子機選択部１５４から出力された子機転送データを編集し、無線ＬＡＮ Ｉ／Ｆ部１４６を介してコードレス電話親機１０に送信する。当該編集では、子機転送データ送信部１５６は、子機転送データのヘッダ部に転送データ種別（電話帳データ、壁紙データ、着信音データ）と子機転送データ選択部１５３で選択されたコードレス電話子機３０を示す転送先子機識別情報を設定し、転送データ本体部（着信音データ部、画像データ部、電話帳データ部）を編集する。
【００９１】
ＳＴ６０５あるいはＳＴ６１３の処理により、転送先子機選択部１５４で選択された全てのコードレス電話子機３０に対するデータの送信が完了した場合（ＳＴ６１４：ＹＥＳ）、フローは終了する。一方、ＳＴ６１３の処理の後、転送先子機選択部１５４で選択されたいずれかのコードレス電話子機３０に対するデータの送信がまだ完了していない場合（ＳＴ６１４：ＮＯ）、ＳＴ６１５において、転送先子機選択部１５４は、次のデータ転送先子機の子機情報を取得する。その後、フローは、ＳＴ６０４に進む。
【００９２】
なお、図１０のフロチャートでは、転送先子機毎に子機転送データを選択し、子機転送データを送信するフローの例を示したが、転送先子機を複数台選択し、転送先子機情報に複数の子機識別情報を編集した子機転送データを送信することによって、１回の子機転送データの送信によって、複数台の子機への子機転送データの転送をコードレス電話親機１０に指示しても良い。また、最初に転送データを選択した後に、転送先子機を選択（複数台の選択可）して、子機転送データを送信しても良い。
【００９３】
図１１は、コードレス電話親機１０のデータ転送時の処理手順を示すフロー図である。まず、ＳＴ７０１において、子機転送データ受信部１２２は、無線ＬＡＮ Ｉ／Ｆ部１０９を介して、携帯電話機４０からの子機転送データを受信し、記憶部１０３に記憶させる。
【００９４】
次に、ＳＴ７０２において、転送先子機決定部１２３は、記憶部１０３に記憶された子機転送データから最初の転送先子機情報を取り出し、当該転送先子機情報に設定された転送先子機識別情報に基づいて当該子機転送データの転送先のコードレス電話子機３０を選択する。
【００９５】
次に、ＳＴ７０３からＳＴ７１１において、子機転送データ変換部１２４は、子機転送データの種別に応じて所定の変換処理を実行する。
【００９６】
具体的には、まず、ＳＴ７０３において、子機転送データ変換部１２４は、記憶部１０３に記憶された子機転送データの種別を判定する。
【００９７】
そして、子機転送データが着信音データであった場合（ＳＴ７０３：「着信音データ」）、ＳＴ７０４において、子機転送データ変換部１２４は、子機転送データが、コードレス電話子機３０においてフォーマット変換が可能な着信音データであるか否かを判定する。例えば、子機転送データ変換部１２４は、子機転送データの着信音データの音声フォーマットが、ＭＰ３（MPEG Audio Layer-3）あるいはＷＡＶフォーマットである場合にはフォーマット変換が可能であると判定し、その他の音声フォーマットである場合にはフォーマット変換が不可能であると判定する。
【００９８】
フォーマット変換が可能である場合（ＳＴ７０４：ＹＥＳ）、ＳＴ７０５において、子機転送データ変換部１２４は、子機転送データ（着信音データ）の音声フォーマットをコードレス電話子機３０の使用ＣＯＤＥＣに合わせて変換する。例えば、Ｇ．７２２で再生できるようにＭＰ３からフォーマット変換を行う。また、ＳＴ７０６において、子機転送データ変換部１２４は、着信音データのサイズを子機情報のコードレス電話子機３０の着信音のサイズ内になるように変換する。その後、フローは、ＳＴ７１３に進む。
【００９９】
一方、フォーマット変換が不可能である場合（ＳＴ７０４：ＮＯ）、ＳＴ７０７において、子機転送データ送信部１２５は、変換処理を実行できなかった旨を示すメッセージを携帯電話機４０に通知する。その後、フローは、ＳＴ７１５に進む。
【０１００】
また、子機転送データが壁紙データであった場合（ＳＴ７０３：「壁紙データ」）、ＳＴ７０８において、子機転送データ変換部１２４は、子機転送データの画像データヘッダ部（例えば、ＢＭＰヘッダー部等）から画像サイズ情報を取得する。そして、ＳＴ７０９において、子機転送データ変換部１２４は、子機転送データ（壁紙データ）の画像サイズをコードレス電話子機３０において再生できるものに変換する。例えば、携帯電話機４０から送られてきた画像データのサイズ情報がＸＧＡ（１０２４×７６８ピクセル）サイズで、子機３０で表示可能なサイズがＱＶＧＡ（３２０×２４０ピクセル）サイズであれば、ＸＧＡからＱＶＧＡサイズへの画像サイズ変換処理が行われる。その後、フローは、ＳＴ７１３に進む。
【０１０１】
また、子機転送データが電話帳データであった場合（ＳＴ７０３：「電話帳データ」）、ＳＴ７１０において、子機転送データ変換部１２４は、子機転送データのヘッダ部からサムネイルデータの画像サイズ情報を取得する。そして、ＳＴ７１１において、子機転送データ変換部１２４は、上述の壁紙データと同様に子機転送データのサムネイルデータの画像サイズをコードレス電話子機３０において再生できるものに変換する。
【０１０２】
次に、ＳＴ７１２において、子機転送データ送信部１２５は、子機転送データ変換部１２４によって変換処理が実行された子機転送データ（電話帳データ）を記憶部１０３に記憶させる。その後、フローは、ＳＴ７１３に進む。
【０１０３】
ＳＴ７０６、ＳＴ７０９あるいはＳＴ７１２の処理の後、ＳＴ７１３において、子機転送データ送信部１２５は、コードレス電話子機無線Ｉ／Ｆ部１０７を介して、転送先子機決定部１２３により選択されたコードレス電話子機３０に、子機転送データ変換部１２４によって変換処理が実行された子機転送データを送信する。また、ＳＴ７１４において、子機転送データ送信部１２５は、変換処理を実行した旨を示すメッセージを携帯電話機４０に通知する。
【０１０４】
ＳＴ７０７あるいはＳＴ７１４の処理により、転送先子機決定部１２３で決定された全てのコードレス電話子機３０に対するデータの送信が完了した場合（ＳＴ７１５：ＹＥＳ）、フローは終了する。一方、ＳＴ７０７あるいはＳＴ７１４の処理の後、転送先子機決定部１２３で決定されたいずれかのコードレス電話子機３０に対するデータの送信がまだ完了していない場合（ＳＴ７１５：ＮＯ）、ＳＴ７１６において、転送先子機決定部１２３は、記憶部１０３に記憶された子機転送データから次の転送先子機情報を取り出し、当該転送先子機情報に設定された転送先子機識別情報に基づいて当該子機転送データの転送先のコードレス電話子機３０を選択する。その後、フローは、ＳＴ７０３に進む。
【０１０５】
図１２は、コードレス電話子機３０のデータ転送時の処理手順を示すフロー図である。まず、ＳＴ８０１において、子機転送データ受信部１３９は、コードレス電話親機無線Ｉ／Ｆ部１３５を介して、コードレス電話親機１０からの子機転送データを受信する。
【０１０６】
次に、ＳＴ８０２において、子機転送データ受信部１３９は、子機転送データの種別に応じた記憶部１３１の記憶エリアに、子機転送データを記憶させる。
【０１０７】
なお、上記の説明では、コードレス電話親機１０及び携帯電話機４０の両方において子機転送データに対する変換処理を実行する場合について説明したが、本発明はこれに限られず、コードレス電話親機１０あるいは携帯電話機４０の一方のみにおいて子機転送データに対する変換処理を実行しても良い。また、上記の説明では、着信音データに対する選択、変換処理について説明したが、本発明では、コードレス電話子機３０で使用する保留音データや留守番電話のガイダンスメッセージ等の音源データに対しても、着信音データと同様の処理を行うことができる。
【０１０８】
また、上記の説明では、壁紙画像データおよびサムネイルデータの変換処理として画像サイズの変換処理を例に説明したが、本発明では、画像データの変換として、サイズのみならず、画像フォーマットの変換を行っても良い。
【０１０９】
また、本発明では、一部の種類の子機転送データについてはコードレス電話親機１０において変換処理を行い、他の種類の子機転送データについては携帯電話機４０において変換処理を行うように、変換処理機能を分散することもできる。例えば、データ容量が小さく処理負荷が軽い着信音データの変換処理をコードレス電話親機１０で行い、データ容量が大きく処理負荷が重い画像データの変換処理を携帯電話機４０で行う。
【０１１０】
そして、子機転送データに着信音データが含まれている場合、コードレス電話子機３０は、使用ＣＯＤＥＣを用いて当該着信音データをそのまま再生することができる。また、子機転送データに壁紙データが含まれている場合、コードレス電話子機３０は、当該壁紙データをそのまま液晶表示部に表示させることができる。また、子機転送データに電話帳データが含まれている場合、コードレス電話子機３０は、当該電話帳データに含まれる電話番号情報に対応するサムネイルデータをそのまま液晶表示部に表示させることができる。また、コードレス電話親機１０は、当該電話帳データを記憶部に記憶させることにより、自機（親機）が管理する電話帳データとして利用することができる。
【０１１１】
このように、本実施の形態１では、コードレス電話親機１０が有する子機情報を携帯電話機４０に転送するので、携帯電話機４０のユーザが、子機情報に基づいて、子機転送データの転送先子機を表示および選択することができ、且つ、携帯電話機４０に保存されている特定のデータを、指定したコードレス電話子機３０に当該コードレス電話子機３０で利用可能な状態で保存させることができる。
【０１１２】
（実施の形態２）
本実施の形態２では、コードレス電話親機１０が、子機情報を携帯電話機４０に転送する際に、接続した携帯電話機４０に応じて、該携帯電話機４０に子機転送データを転送可能な子機の情報だけを通知して、子機転送データの転送先子機を制限する場合について説明する。本実施の形態は、実施の形態１と比較して、コードレス電話親機１０の記憶部１０３および子機情報送信部１２７の機能が異なる。
【０１１３】
図１３の認証情報テーブルに示すように、記憶部１０３は、各携帯電話機４０（無線ＩＰ端末１乃至６）の認証ＩＤ、認証パスワードの組みあわせの情報（以下、「認証情報」という）を記憶する。
【０１１４】
無線ＩＰ端末認証部１２６は、携帯電話機４０から認証要求（認証ＩＤ、認証パスワード）を受信した場合、認証要求に含まれる認証ＩＤ、認証パスワードの組みあわせが、認証情報の認証ＩＤ、認証パスワードの組みあわせのいずれかと一致するか否かを判別する。そして、無線ＩＰ端末認証部１２６は、一致する場合には認証を認め、認証応答（ＯＫ）を携帯電話機４０に送信し、一致しない場合には認証を認めず、認証応答（ＮＧ）を携帯電話機４０に送信する。
【０１１５】
さらに、本実施の形態では、図１４の転送規制情報テーブルに示すように、記憶部１０３は、接続する携帯電話機４０から子機への子機転送データの転送を規制するための情報（以下、「転送規制情報」という）を記憶する。転送規制情報は、コードレス電話子機３０（子機１から子機６）毎に、各コードレス電話子機３０への子機転送データの転送規制の有無と、転送規制「有り」の場合における子機転送データの転送が許可されている無線ＩＰ端末（携帯電話機４０）の認証ＩＤが対応付けられている。なお、転送規制「無し」の場合には、コードレス電話親機１０は、図１３に示したように、コードレス電話親機１０に接続が許可されている任意の携帯電話機４０（無線ＩＰ端末１乃至４）からの子機転送データの転送を許可する。
【０１１６】
本実施の形態では、子機情報送信部１２７は、転送規制情報を参照して、記憶部１０３に記憶された子機情報の中から転送が許可されているもののみを、無線ＬＡＮ Ｉ／Ｆ部１０９を介して、携帯電話機４０に送信する。
【０１１７】
例えば、子機情報送信部１２７は、無線ＩＰ端末１に対して、転送規制「有り」で、かつ、無線ＩＰ端末１の認証ＩＤ「１１１１１１１１」が登録されている子機１、５の子機情報、および、転送規制「無し」の子機３、４の子機情報を送信する。
【０１１８】
この結果、図１５に示すように、無線ＩＰ端末１の子機情報受信部１５８は、子機１、３、４、５の子機情報を記憶部１４２に記憶させる。
【０１１９】
次に、本実施の形態に係るコードレス電話親機１０の子機情報の送信手順について、図１６のフロー図を用いて説明する。
【０１２０】
まず、ＳＴ９０１、９０２において、コードレス電話親機１０は、転送規制情報テーブルを参照し、子機１について子機情報の転送規制の有無を確認する。
【０１２１】
転送規制が有る場合（ＳＴ９０２：ＹＥＳ）、ＳＴ９０３において、コードレス電話親機１０は、転送規制情報テーブルを参照し、子機１について、認証要求している無線ＩＰ端末の認証ＩＤが登録されているか否かを確認する。
【０１２２】
転送規制が無い場合（ＳＴ９０２：ＮＯ）、あるいは、認証ＩＤが登録されている場合（ＳＴ９０３：ＹＥＳ）、ＳＴ９０４において、コードレス電話親機１０は、子機１の子機情報を抽出する。そして、フローは、ＳＴ９０５に進む。
【０１２３】
一方、転送規制が有り場合（ＳＴ９０２：ＹＥＳ）、かつ、認証ＩＤが登録されていない場合（ＳＴ９０３：ＮＯ）、コードレス電話親機１０は、子機１の子機情報を抽出しない。そして、フローは、ＳＴ９０５に進む。
【０１２４】
その後、コードレス電話親機１０は、他の子機についてＳＴ９０２からＳＴ９０４の処理を繰り返す（ＳＴ９０５：ＮＯ、ＳＴ９０６）。
【０１２５】
そして、コードレス電話親機１０は、全ての子機についてＳＴ９０２からＳＴ９０４の処理を行った段階で（ＳＴ９０５：ＹＥＳ）、抽出した子機情報を、認証要求している無線ＩＰ端末に送信する（ＳＴ９０７）。
【０１２６】
以上のように、本実施の形態２によれば、コードレス電話親機１０が、子機情報を携帯電話機４０に転送する際に、所定の条件により一部の子機情報の転送を規制することができる。携帯電話機４０は、データ転送可能なコードレス電話子機３０とその子機情報を認知することができる。また、携帯電話機４０のユーザは、携帯電話機４０の操作部１４４で転送先子機を選択操作する際に、コードレス電話親機１０から送信されてきた子機情報の子機識別情報をＬＣＤ部１４５に表示することによって、データ転送可能な子機の中から転送先子機を選択することができる。
【０１２７】
（実施の形態３）
本実施の形態３では、コードレス電話親機１０が、子機転送データをコードレス電話子機３０に転送する際に、所定の条件により一部の子機への転送を規制する場合について説明する。本実施の形態は、実施の形態１と比較して、コードレス電話親機１０の記憶部１０３および転送先子機決定部１２３の機能が異なる。
【０１２８】
本実施の形態でも、実施の形態２と同じく、記憶部１０３は、図１３の認証情報および図１４の転送規制情報を記憶する。
【０１２９】
転送先子機決定部１２３は、記憶部１０３に記憶された子機転送データから転送先子機情報を取り出し、当該転送先子機情報に設定された子機識別情報（子機名、子機内線番号または子機ポート番号）に基づいて当該子機転送データの転送先のコードレス電話子機３０を抽出する。さらに、転送先子機決定部１２３は、転送規制情報を参照して、抽出した転送先のコードレス電話子機３０の中から当該携帯電話機４０（認証ＩＤ）に転送が許可されている子機のみを選択し、最終的な転送先のコードレス電話子機３０を決定する。すなわち、転送先子機決定部１２３は、抽出した転送先のコードレス電話子機３０の中で、転送規制が無いもの、および、転送規制があって無線ＩＰ端末の認証ＩＤが登録されているもののみを選択する。
【０１３０】
例えば、無線ＩＰ端末１が子機情報を転送可能なコードレス電話子機３０は、子機１、３、４、５のみであるので、転送先子機決定部１２３は、無線ＩＰ端末１からの転送先子機情報の子機識別情報に子機２が設定されていたとしても、転送先子機として子機２を選択しない。
【０１３１】
以上のように、本実施の形態３によれば、コードレス電話親機１０が、子機転送データをコードレス電話子機３０に転送する際に、所定の条件により一部の子機転送データの転送を規制することができる。これにより、携帯電話機４０のユーザの誤った操作により、携帯電話機４０から所望以外のコードレス電話子機３０宛に子機転送データの転送を指示してきても、コードレス電話親機１０において誤転送を防止することができる。
【０１３２】
（実施の形態４）
本実施の形態４では、携帯電話機４０とコードレス電話子機３０とが１対１で対応付けられ、携帯電話機４０からの指示に拠らず、コードレス電話親機１０の判断で子機転送データを固定のコードレス子機３０に転送する場合について説明する。本実施の形態は、実施の形態１と比較して、コードレス電話親機１０の記憶部１０３および転送先子機決定部１２３の機能が異なる。また、本実施の形態は、実施の形態１から３と比較して、携帯電話機４０の転送先子機選択部１５４が省略される。
【０１３３】
記憶部１０３は、図１３に示した認証情報を記憶し、更に、図１７に示す、各コードレス電話子機３０（子機１から６）と１対１で対応付けられた携帯電話機４０（無線ＩＰ端末）の認証ＩＤ（以下、「対応認証ＩＤ情報」という）を記憶する。
【０１３４】
転送先子機決定部１２３は、記憶部１０３に記憶された子機転送データに転送先子機情報が含まれるか否かに拠らず、すなわち、子機転送データの転送先子機情報を取り出さずに、記憶部１０３に記憶された図１７の対応認証情報を参照して、当該携帯電話機４０（認証ＩＤ）に１対１に対応付けられた子機を転送先のコードレス電話子機３０として決定する。
【０１３５】
なお、本実施の形態４では、図１７において、携帯電話機４０（認証ＩＤ）と転送先子機の対応を１対１とする場合について説明したが、本発明はこれに限られず、子機に対応する認証ＩＤを複数個にして、１対ｎとしてもよい。
【０１３６】
また、本実施の形態４では、携帯電話機４０に転送先子機を選択させる必要がないため、コードレス電話親機１０から携帯電話機４０に子機情報を送信していないが、本発明では、携帯電話機４０にて子機転送データのフォーマット変換を行うために、図１８に示すように子機１の子機情報を送信しても良い。
【０１３７】
以上のように、本実施の形態４によれば、携帯電話機４０とコードレス電話子機３０とが１対１（または、１対ｎ）に固定で対応付けられているので、子機転送データをコードレス電話子機３０に転送する際に、携帯電話機４０において転送先子機を選択する処理を省略することができる。これにより、誤った操作により、携帯電話機４０から所望以外のコードレス電話子機３０宛に子機転送データを転送するという誤転送を防止することができる。
【０１３８】
なお、上記実施の形態１から４では、子機を識別するための子機識別情報として子機名、子機番号（子機内線番号またはポート番号）を例に説明したが、本発明はこれに限られず、子機を識別することができるものであれば、他の情報を子機識別情報としても良い。
【０１３９】
また、上記実施の形態１から４では、子機転送データが壁紙データを含む場合に、壁紙データの画像サイズを変換する場合を例に説明したが、本発明はこれに限られず、所定のフォーマットへ変換したり、所定の色数の画像データに変換したりしても良い。
【０１４０】
また、上記実施の形態１から４では、子機転送データが電話帳データを含む場合に、サムネイルデータの画像サイズを変換する場合を例に説明したが、本発明はこれに限られず、所定のフォーマットへ変換したり、所定の色数の画像データに変換したりしても良い。
【産業上の利用可能性】
【０１４１】
本発明にかかるコードレス電話装置、コードレス電話システム及びデータ転送方法は、コードレス電話子機に新たな機器を設けること無く、携帯電話機に保存されている各種データを、コードレス電話子機で利用可能な状態でコードレス電話子機に保存させるのに有用である。
【符号の説明】
【０１４２】
１０  コードレス電話親機
２０  アクセスポイント
３０  コードレス電話子機
４０  携帯電話機
１０１  ＮＣＵ及びモデム部
１０２  ＴＡＭ部
１０３、１３１、１４２  記憶部
１０４、１３２、１４３  音声入出力部
１０５、１３３、１４４  操作部
１０６、１３４、１４５  ＬＣＤ部
１０７  コードレス電話子機無線Ｉ／Ｆ部
１０８  コードレス電話子機制御部
１０９、１４６  無線ＬＡＮ Ｉ／Ｆ部
１１０  親機制御部
１２１、１３８  呼制御部
１２２、１３９  子機転送データ受信部
１２３  転送先子機決定部
１２４、１５５  子機転送データ変換部
１２５  子機転送データ送信部
１２６  無線ＩＰ端末認証部
１２７  子機情報送信部
１３５  コードレス電話親機無線Ｉ／Ｆ部
１３６  コードレス電話親機制御部
１３７  子機制御部
１４１  セルラー無線Ｉ／Ｆ部
１４７  外部メモリＩ／Ｆ部
１４８  端末制御部
１５１  セルラー電話制御部
１５２  Ｗｅｂブラウザ制御部
１５３  子機転送データ選択部
１５４  転送先子機選択部
１５６  子機転送データ送信部
１５７  認証要求部
１５８  子機情報受信部
【図１】
2015192327.tif 000003
【図２】
2015192327.tif 000004
【図３ａ】
2015192327.tif 000005
【図３ｂ】
2015192327.tif 000006
【図４】
2015192327.tif 000007
【図５】
2015192327.tif 000008
【図６】
2015192327.tif 000009
【図７】
2015192327.tif 000010
【図８】
2015192327.tif 000011
【図９】
2015192327.tif 000012
【図１０】
2015192327.tif 000013
【図１１】
2015192327.tif 000014
【図１２】
2015192327.tif 000015
【図１３】
2015192327.tif 000016
【図１４】
2015192327.tif 000017
【図１５】
2015192327.tif 000018
【図１６】
2015192327.tif 000019
【図１７】
2015192327.tif 000020
【図１８】
2015192327.tif 000021
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
少なくとも１台以上の子機とその親機から成るコードレス電話装置であり、且つ、前記親機と無線ＬＡＮを介して無線接続する無線ＩＰ端末によって選択された画像データまたは音楽データを含む子機転送データを、前記親機から前記子機に転送するコードレス電話装置であって、
前記親機は、
前記無線ＩＰ端末から受信した認証ＩＤと認証パスワードに基づいて、前記親機に接続可能な無線ＩＰ端末であるか否かを判定する無線ＩＰ端末認証部と、
前記無線ＩＰ端末から、子機転送データを受信すると、前記無線ＩＰ端末からの前記認証ＩＤに基づいて、前記子機転送データの転送先子機を決定する転送先子機決定部と、
前記子機転送データが、着信音データ、壁紙データ、電話帳データの何れかを含む場合に、前記転送先子機の変換フォーマット情報に基づいて、前記子機転送データに含まれる着信音データ、壁紙データ、および、電話帳データの少なくとも何れか一つを前記転送先子機で利用可能なデータフォーマットに変換する子機転送データ変換部と、
前記変換後の子機転送データを、前記決定された転送先子機に送信する子機転送データ送信部と、
を具備するコードレス電話装置。 
【請求項２】
前記子機転送データ変換部は、
前記子機転送データが着信音データを含む場合、前記着信音データの音声フォーマットを前記転送先子機の使用ＣＯＤＥＣで再生可能なように変換する、
請求項１に記載のコードレス電話装置。
【請求項３】
前記子機転送データ変換部は、
前記子機転送データが着信音データを含む場合、前記着信音データのデータ変換後のデータサイズが前記転送先子機の着信音用メモリサイズ内になるように変換する、
請求項１または請求項２に記載のコードレス電話装置。
【請求項４】
前記子機転送データ変換部は、
前記子機転送データが壁紙データを含む場合、前記壁紙データのサイズを前記転送先子機の壁紙サイズに変換する、
請求項１から３の何れか一つに記載のコードレス電話装置。
【請求項５】
前記子機転送データ変換部は、
前記子機転送データが電話帳データを含む場合、前記電話帳データのサムネイル画像データ部を前記転送先子機のサムネイルサイズに変換する、
請求項１から４の何れか一つに記載のコードレス電話装置。
【請求項６】
少なくとも１台以上の子機とその親機から成るコードレス電話装置と、無線ＬＡＮを介して前記コードレス電話装置の親機と無線接続する無線ＩＰ端末と、から成るコードレス電話システムであって、
前記無線ＩＰ端末は、
前記親機に無線ＬＡＮを介して、認証ＩＤと認証パスワードを送信し、前記親機に接続要求する無線ＩＰ端末認証要求部と、
第１の記憶部に記憶された着信音データ、壁紙データ、電話帳データの何れかを含むデータの中から前記子機に転送する子機転送データを選択する子機転送データ選択部と、
前記子機転送データを、前記親機に送信する子機データ送信部と、
を有し、
前記親機は、
前記無線ＩＰ端末から受信した認証ＩＤと認証パスワードに基づいて、前記親機に接続可能な無線ＩＰ端末であるか否かを判定する無線ＩＰ端末認証部と、
前記無線ＩＰ端末からの子機転送データを受信すると、前記無線ＩＰ端末からの前記認証ＩＤに基づいて、前記子機転送データの転送先子機を決定する転送先子機決定部と、
前記子機転送データが、着信音データ、壁紙データ、電話帳データの何れかを含む場合に、前記転送先子機の変換フォーマット情報に基づいて、前記子機転送データに含まれる着信音データ、壁紙データ、および、電話帳データの少なくとも何れか一つを前記転送先子機で利用可能なデータフォーマットに変換する子機転送データ変換部と、
前記変換後の子機転送データを、前記決定された転送先子機に送信する子機転送データ送信部と、
を有する、
コードレス電話システム。
【請求項７】
前記子機転送データ変換部は、
前記子機転送データが着信音データを含む場合、前記着信音データの音声フォーマットを前記転送先子機の使用ＣＯＤＥＣで再生可能なように変換する、
請求項６に記載のコードレス電話システム。
【請求項８】
前記子機転送データ変換部は、
前記子機転送データが壁紙データを含む場合、前記壁紙データのサイズを前記転送先子機の壁紙サイズに変換する、
請求項６または請求項７に記載のコードレス電話システム。
【請求項９】
前記子機転送データ変換部は、
前記子機転送データが電話帳データを含む場合、前記電話帳データのサムネイル画像データ部を前記転送先子機のサムネイルサイズに変換する、
請求項６から請求項８の何れか一つに記載のコードレス電話システム。
【請求項１０】
少なくとも１台以上の子機とその親機から成るコードレス電話装置であり、且つ、前記親機と無線ＬＡＮを介して無線接続する無線ＩＰ端末によって選択された画像データまたは音楽データを含む子機転送データを、前記子機に転送するコードレス電話装置のデータ転送方法であって、
前記親機は、
前記無線ＩＰ端末から受信した認証ＩＤと認証パスワードに基づいて、前記親機に接続可能な無線ＩＰ端末であるか否かを判定する無線ＩＰ端末認証ステップと、
前記無線ＩＰ端末から、子機転送データを受信すると、前記無線ＩＰ端末からの前記認証ＩＤに基づいて、前記子機転送データの転送先子機を決定する転送先子機決定ステップと、
前記子機転送データが、着信音データ、壁紙データ、電話帳データの何れかを含む場合に、前記転送先子機の変換フォーマット情報に基づいて、前記子機転送データに含まれる着信音データ、壁紙データ、および、電話帳データの少なくとも何れか一つを前記転送先子機で利用可能なデータフォーマットに変換する子機転送データ変換ステップと、
前記変換後の子機転送データを、前記決定された転送先子機に送信する子機転送データ送信ステップと、
を実行する、
コードレス電話装置のデータ転送方法。
【手続補正２】
【補正対象書類名】明細書
【補正対象項目名】００１４
【補正方法】変更
【補正の内容】
【００１４】
本発明の一態様に係るコードレス電話装置は、少なくとも１台以上の子機とその親機から成るコードレス電話装置であり、且つ、前記親機と無線ＬＡＮを介して無線接続する無線ＩＰ端末によって選択された画像データまたは音楽データを含む子機転送データを、前記親機から前記子機に転送するコードレス電話装置であって、前記親機は、前記無線ＩＰ端末から受信した認証ＩＤと認証パスワードに基づいて、前記親機に接続可能な無線ＩＰ端末であるか否かを判定する無線ＩＰ端末認証部と、前記無線ＩＰ端末から、子機転送データを受信すると、前記無線ＩＰ端末からの前記認証ＩＤに基づいて、前記子機転送データの転送先子機を決定する転送先子機決定部と、前記子機転送データが、着信音データ、壁紙データ、電話帳データの何れかを含む場合に、前記転送先子機の変換フォーマット情報に基づいて、前記子機転送データに含まれる着信音データ、壁紙データ、および、電話帳データの少なくとも何れか一つを前記転送先子機で利用可能なデータフォーマットに変換する子機転送データ変換部と、前記変換後の子機転送データを、前記決定された転送先子機に送信する子機転送データ送信部と、を具備する構成を採る。
【手続補正３】
【補正対象書類名】明細書
【補正対象項目名】００１５
【補正方法】変更
【補正の内容】
【００１５】
本発明の一態様に係るコードレス電話システムは、少なくとも１台以上の子機とその親機から成るコードレス電話装置と、無線ＬＡＮを介して前記コードレス電話装置の親機と無線接続する無線ＩＰ端末と、から成るコードレス電話システムであって、前記無線ＩＰ端末は、前記親機に無線ＬＡＮを介して、認証ＩＤと認証パスワードを送信し、前記親機に接続要求する無線ＩＰ端末認証要求部と、第１の記憶部に記憶された着信音データ、壁紙データ、電話帳データの何れかを含むデータの中から前記子機に転送する子機転送データを選択する子機転送データ選択部と、前記子機転送データを、前記親機に送信する子機データ送信部と、を有し、前記親機は、前記無線ＩＰ端末から受信した認証ＩＤと認証パスワードに基づいて、前記親機に接続可能な無線ＩＰ端末であるか否かを判定する無線ＩＰ端末認証部と、前記無線ＩＰ端末からの子機転送データを受信すると、前記無線ＩＰ端末からの前記認証ＩＤに基づいて、前記子機転送データの転送先子機を決定する転送先子機決定部と、前記子機転送データが、着信音データ、壁紙データ、電話帳データの何れかを含む場合に、前記転送先子機の変換フォーマット情報に基づいて、前記子機転送データに含まれる着信音データ、壁紙データ、および、電話帳データの少なくとも何れか一つを前記転送先子機で利用可能なデータフォーマットに変換する子機転送データ変換部と、前記変換後の子機転送データを、前記決定された転送先子機に送信する子機転送データ送信部と、を有する、構成を採る。
【手続補正４】
【補正対象書類名】明細書
【補正対象項目名】００１６
【補正方法】変更
【補正の内容】
【００１６】
本発明の一態様に係るコードレス電話装置のデータ転送方法は、少なくとも１台以上の子機とその親機から成るコードレス電話装置であり、且つ、前記親機と無線ＬＡＮを介して無線接続する無線ＩＰ端末によって選択された画像データまたは音楽データを含む子機転送データを、前記子機に転送するコードレス電話装置のデータ転送方法であって、前記親機は、前記無線ＩＰ端末から受信した認証ＩＤと認証パスワードに基づいて、前記親機に接続可能な無線ＩＰ端末であるか否かを判定する無線ＩＰ端末認証ステップと、前記無線ＩＰ端末から、子機転送データを受信すると、前記無線ＩＰ端末からの前記認証ＩＤに基づいて、前記子機転送データの転送先子機を決定する転送先子機決定ステップと、前記子機転送データが、着信音データ、壁紙データ、電話帳データの何れかを含む場合に、前記転送先子機の変換フォーマット情報に基づいて、前記子機転送データに含まれる着信音データ、壁紙データ、および、電話帳データの少なくとも何れか一つを前記転送先子機で利用可能なデータフォーマットに変換する子機転送データ変換ステップと、前記変換後の子機転送データを、前記決定された転送先子機に送信する子機転送データ送信ステップと、を実行する。
【手続補正５】
【補正対象書類名】明細書
【補正対象項目名】００１７
【補正方法】削除
【補正の内容】